(57)【要約】【課題】本発明の目的は、ＩＣチップとＩＣチップを備える交換部品の双方が装置の登録品か否かの判定に用いるＩＣチップと交換部品の各々の二つの製造物責任者特定情報を装置に送信させるＩＣチップを提供することにある。【解決手段】ＩＣチップと交換部品の双方が装置の登録品か否かを判定するためのＩＣチップと交換部品の各々の二つの製造物責任者特定情報を記憶する記憶手段を備えたＩＣチップを備える交換部品を装着する装着手段と、製造物責任者特定情報を受信する受信手段と、製造物責任者特定情報を用いてＩＣチップと交換部品の双方が登録品か否かを判定する判定手段と、を備える装置に装着されるＩＣチップであって、製造物責任者特定情報を送信させる送信手段を備えることを特徴とする。【選択図】図１
2018058241.tif 000002
【特許請求の範囲】
【請求項１】
ＩＣチップと交換部品の双方が登録品か否かを判定するための前記ＩＣチップと前記交換部品の各々の出所を特定する二つの第１情報を記憶する前記交換部品の記憶媒体を構成する前記ＩＣチップであることを特徴とするＩＣチップ。
【請求項２】
ＩＣチップと交換部品の双方が登録品か否かを判定するための前記ＩＣチップと前記交換部品の各々の出所を証明する二つの第１情報を生成する前記交換部品の情報処理手段を構成する前記ＩＣチップであることを特徴とするＩＣチップ。
【請求項３】
請求項１または２に記載のＩＣチップを備える前記交換部品であることを特徴とする交換部品。
【請求項４】
請求項１または２に記載のＩＣチップを備える前記交換部品を装着する装着部と、
前記第１情報の各々と、自己が記憶する、又は、自己が生成する第２情報を比較して前記ＩＣチップと前記交換部品の双方が登録品か否かを判定する判定手段と、を備えることを特徴とする装置。
【請求項５】
請求項１または２に記載のＩＣチップに備えるＣＰＵを、
前記第１情報を前記装置に送信する送信手段として機能させるための制御プログラム。
【請求項６】
請求項４に記載の装置に備えるＣＰＵを、前記判定手段として機能させるための制御プログラム。
【発明の詳細な説明】
【技術分野】
【０００１】
本発明は、ＩＣチップ、交換部品、装置に関する。
【背景技術】
【０００２】
従来、インクジェットプリンタが知られている。例えば、特開２００３−３２０６５８号公報は、比較判定部がＩＣチップから取得した電子署名と生成した電子署名を比較して、一致する場合に、装着されたインクカートリッジを登録製品であると判定し、一致しない場合に、登録製品でないと判定する技術が開示されている。
【先行技術文献】
【特許文献】
【０００３】
【特許文献１】特開２００３−３２０６５８号公報
【発明の概要】
【発明が解決しようとする課題】
【０００４】
ところで、従来のインクジェットプリンタは、ＥＣサイトが販売する互換インクカートリッジを使用し続け、インクジェットプリンタが回復不能なエラーに陥り、メーカの修理保証が受けられなくなると言った事態に見舞われていた。従って、装置メーカが推奨することができない互換交換部品を市場から駆逐することができないと言った問題があった。
【０００５】
そこで、本発明の目的は、装置メーカが推奨することができない互換交換部品を市場から駆逐することができるＩＣチップを提供することにある。
【課題を解決するための手段】
【０００６】
上記課題を解決するため本発明のＩＣチップは、ＩＣチップと交換部品の双方が登録品か否かを判定するための前記ＩＣチップと前記交換部品の各々の出所を特定する二つの第１情報を記憶する前記交換部品の記憶媒体を構成する前記ＩＣチップであることを特徴とする。
また、ＩＣチップと交換部品の双方が登録品か否かを判定するための前記ＩＣチップと前記交換部品の各々の出所を証明する二つの第１情報を生成する前記交換部品の情報処理手段を構成する前記ＩＣチップであることを特徴としてもよい。
【発明の効果】
【０００７】
本発明によれば、請求項１〜５は、装置メーカが推奨することができない互換交換部品を市場から駆逐することができる。
【図面の簡単な説明】
【０００８】
【図１】実施形態の交換部品を必要とする装置の構成の一例である。
【発明を実施するための形態】
【０００９】
以下、本発明の一実施の形態について詳細に説明する。
【００１０】
図１は実施形態の交換部品を必要とする装置の構成の一例である。装置２は、自らが記憶するＩＣチップ部１０と交換部品１の出所の特定に用いる登録情報と比較して、ＩＣチップ部１０と交換部品１の双方が正規品（登録品）か少なくとも一方が非登録品かを判定するためのＩＣチップ部１０と交換部品１の各々の出所を特定する二つの製造物責任者情報ＰＬを記憶するＩＣチップ部１０を備える交換部品１を装着する。
【００１１】
また、ＣＰＵ、ＲＯＭ、ＲＡＭ、記憶部（フラッシュメモリー、ＨＤＤなど）、入出力部（タッチパネル、ディスプレイなど）、シリアル通信部などが接続されたバスを有するコンピュータ部と、ＩＣチップ部１０へ電源を供給し、ＩＣチップ部１０とのシリアル通信（接触通信）の通信経路をなすコンタクト部２０と、交換部品１を装着する装着部２１などを備える。
【００１２】
ＩＣチップ部１０は、ＣＰＵ、ＲＯＭ、ＲＡＭ、不揮発性記憶部、シリアル通信部などが接続されたバスを有するコンピュータ部を備え、不揮発性記憶部に製造物責任者情報ＰＬ、ＩＣチップ部１０または交換部品１の識別情報ＩＤなどを記憶する。また、接触型ＩＣチップを構成したがＩＣタグを構成してもよい。
【００１３】
次に、装置２が交換部品１とＩＣチップ部１０の双方を純正品または推奨品である正規品（登録品）と判定する処理を説明する。
【００１４】
ＩＣチップ部１０は、各国のＰＬ（Product Liability）法と商標法に基づく交換部品１とＩＣチップ部１０の各々の製造物責任者を認証するための各々の製造物責任者の住所、名称、電話番号、電子メールアドレス、ＵＲＬ、登録商標画像ＬＧなどの少なくとも一つ以上が含まれる二つの製造物責任者情報ＰＬ（一つが交換部品１用と、他の一つがＩＣチップ部１０用）を記憶する。
【００１５】
装置２は、ＩＣチップ部１０に要求しＩＣチップ部１０が送信した二つの製造物責任者情報ＰＬを受信し、その二つの製造物責任者情報ＰＬの各々が自己に記憶されている複数の登録情報の内の一つと一致するか否かを判定する構成とし、二つの製造物責任者情報ＰＬの双方が一致する場合に、交換部品１とＩＣチップ部１０の双方を正規品と判定し、二つの製造物責任者情報ＰＬの少なくとも一つが不一致（正規品でない）の場合に、交換部品１とＩＣチップ部１０の双方を非正規品と判定して非正規品の交換部品１の使用を拒絶する警告を表示し、利用者に交換部品１の交換を促す構成とする。
【００１６】
ＩＣチップ部１０の二つの製造物責任者情報ＰＬは、装置２に表示され、利用者が交換部品１とＩＣチップ部１０の各々の製造物責任者を確認することができる構成とする。
【００１７】
上記実施形態において、ＩＣチップ部１０は、不揮発性記憶部に交換部品１（後述する消耗品カートリッジ）に収納の消耗品の消費量情報Ｑを記憶する構成としてもよい。そして、装置２は、ＩＣチップ部１０に要求しＩＣチップ部１０が送信した消費量情報Ｑを受信し、消耗品の消費に応じて、消費量情報Ｑを更新して（装置２が新消費量情報をＩＣチップ部１０に送信し、ＩＣチップ部１０において、新消費量情報を受信して、新消費量情報＞消費量情報Ｑの場合に、消費量情報Ｑを新消費量情報で置き換える）、消費量情報Ｑが第１所定値に達した場合に、消耗品切れ警告を表示し利用者に交換部品１の交換を促す構成としてもよい。
【００１８】
また、消費量情報Ｑが第１所定値を超えた第２所定値に達した場合に、交換部品１とＩＣチップ部１０の双方を非正規品と判定して非正規品交換部品１の使用を拒絶する警告を表示し、利用者に交換部品１の交換を促す構成としてもよい。また、利用者が警告に従わない場合に、識別情報ＩＤと、装置２の修理保証期間を解除する旨の保証情報を自己の記憶部に記憶させる構成としてもよい。
【００１９】
ＩＣチップ部１０は、交換部品１とＩＣチップ部１０の各々に対応した二つの秘密鍵を不揮発性記憶部に記憶し、任意の情報を生成し、二つの秘密鍵により任意の情報を暗号化し交換部品１とＩＣチップ部１０の各々に対応した二つの暗号化情報を生成し、任意の情報、二つの製造物責任者情報ＰＬおよび二つの暗号化情報を送信する構成とし、装置２は、登録情報に対応する公開鍵を記憶部に記憶し、ＩＣチップ部１０に要求しＩＣチップ部１０が送信した任意の情報、二つの製造物責任者情報ＰＬおよび二つの暗号化情報を受信し、その二つの製造物責任者情報ＰＬの各々が自己に記憶されている複数の登録情報の内の一つと一致するか否かを判定する構成とし、二つの製造物責任者情報ＰＬの双方が一致する場合に、二つの製造物責任者情報ＰＬの各々において、一致した登録情報に対応する公開鍵により対応する暗号化情報を復号化して生成した生成情報が任意の情報と一致し、該各々において該一致した場合に、交換部品１とＩＣチップ部１０の双方を正規品と判定し、二つの製造物責任者情報ＰＬの少なくとも一つが不一致（正規品でない）の場合か、交換部品１とＩＣチップ部１０の少なくとも一方の暗号化情報を復号化しそれが任意の情報と不一致（正規品でない）の場合に、交換部品１とＩＣチップ部１０の双方を非正規品と判定する構成としてもよい。
ここで、二つの秘密鍵と公開鍵は、交換部品１とＩＣチップ部１０の各々の製造物責任者の秘密鍵と公開鍵であるから、交換部品１とＩＣチップ部１０の各々の出所の証明に用いることができる。
【００２０】
さらに、秘密鍵と公開鍵を用いる点では、ＩＣチップ部１０と装置２がハッシュ関数を用いて任意の情報からハッシュ値を生成してハッシュ値を暗号化する電子署名の仕組みに発展させることも可能であり、秘密鍵と公開鍵、又は、電子署名を用いれば、交換部品１とＩＣチップ部１０の各々の出所を証明する作用および効果が得られる。さらに、ＩＣチップ部１０と装置２は、耐タンパー性を有すればよい。
【００２１】
このような構成とすると、非正規品の交換部品１またはＩＣチップ部１０の製造物責任者が、他人の登録商標画像ＬＧを使用することと、製造物責任者情報ＰＬを偽ることが出来ないことにより、各国の商標法またはＰＬ法に基づきＩＣチップ部１０と交換部品１の模造品を各国の市場から駆逐することができる。また、装置２のメーカなどの第１製造物責任者が推奨する互換交換部品１のメーカなどの第２製造物責任者にＩＣチップ部１０を供給することによって、非正規品の交換部品１が市場から駆逐されることとなる。
さらに、交換部品１は、図１の様な消耗品カートリッジとしてもよく、交換部品１が正規品であることの定義として収納する消耗品も正規品であることを含んでおり、第２製造物責任者は、消耗品も含めて製造物責任を負うのであるから、元は正規の交換部品１であっても消耗品が詰め替えられたものは、非正規品となる。
【００２２】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置２およびＩＣチップ部１０と同等の作用および効果が得られる。
【００２３】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００２４】
また、インターネット、ＬＡＮ等のネットワークシステムを介して制御プログラムをダウンロードし、インストールして実行するように構成することも可能である。
【符号の説明】
【００２５】
１…交換部品，２…装置，１０…ＩＣチップ部，２０…コンタクト部，２１…装着部，ＩＤ…識別情報，Ｑ…消費量情報，ＰＬ…製造物責任者情報，ＬＧ…登録商標画像
【図１】
2018058241.tif 000003
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
ＩＣチップと交換部品の双方が登録品か否かを判定するための前記ＩＣチップと前記交換部品の各々の出所を特定する二つの出所情報を記憶する前記交換部品の記憶媒体を構成する前記ＩＣチップであることを特徴とするＩＣチップ。
【請求項２】
ＩＣチップと交換部品の双方が登録品か否かを判定するための前記ＩＣチップと前記交換部品の各々の出所を証明する二つの出所情報を生成する前記交換部品の情報処理手段を構成する前記ＩＣチップであることを特徴とするＩＣチップ。
【請求項３】
請求項１または２に記載のＩＣチップを備える前記交換部品であることを特徴とする交換部品。
【請求項４】
請求項１または２に記載のＩＣチップを備える前記交換部品を装着する装着部と、
前記出所情報の各々を利用し前記ＩＣチップと前記交換部品の各々の出所を特定または証明して前記ＩＣチップと前記交換部品の双方が登録品か否かを判定する判定手段と、を備えることを特徴とする装置。
【請求項５】
請求項１または２に記載のＩＣチップに備えるＣＰＵを、
前記出所情報を前記装置に送信する送信手段として機能させるための制御プログラム。
【請求項６】
請求項４に記載の装置に備えるＣＰＵを、前記判定手段として機能させるための制御プログラム。
【手続補正２】
【補正対象書類名】明細書
【補正対象項目名】０００６
【補正方法】変更
【補正の内容】
【０００６】
上記課題を解決するため本発明のＩＣチップは、ＩＣチップと交換部品の双方が登録品か否かを判定するための前記ＩＣチップと前記交換部品の各々の出所を特定する二つの出所情報を記憶する前記交換部品の記憶媒体を構成する前記ＩＣチップであることを特徴とする。
また、ＩＣチップと交換部品の双方が登録品か否かを判定するための前記ＩＣチップと前記交換部品の各々の出所を証明する二つの出所情報を生成する前記交換部品の情報処理手段を構成する前記ＩＣチップであることを特徴としてもよい。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
ＩＣチップと交換部品の双方が登録品か否かを判定するための前記ＩＣチップと前記交換部品の各々の出所を特定する二つの出所情報を記憶する前記交換部品の記憶媒体を構成する前記ＩＣチップであることを特徴とするＩＣチップ。
【請求項２】
ＩＣチップと交換部品の双方が登録品か否かを判定するための前記ＩＣチップと前記交換部品の各々の出所を証明する二つの出所情報を生成する前記交換部品の情報処理手段を構成する前記ＩＣチップであることを特徴とするＩＣチップ。
【請求項３】
ＩＣチップと交換部品の双方が登録品か否かを判定するための前記ＩＣチップまたは前記交換部品の出所を特定する二つの出所情報の一方を記憶する前記交換部品の記憶媒体を構成するとともに、前記出所を証明する前記出所情報の他方を生成する前記交換部品の情報処理手段を構成する前記ＩＣチップであることを特徴とするＩＣチップ。
【請求項４】
請求項１ないし３のいずれかに記載のＩＣチップを備える前記交換部品を装着する装着部と、
前記出所情報の各々を利用し前記出所を特定または証明して前記ＩＣチップと前記交換部品の双方が登録品か否かを判定する判定手段と、を備えることを特徴とする装置。
【請求項５】
請求項１ないし３のいずれかに記載のＩＣチップに備えるＣＰＵを、
前記出所情報を前記装置に送信する送信手段として機能させるための制御プログラム。
【請求項６】
請求項４に記載の装置に備えるＣＰＵを、前記判定手段として機能させるための制御プログラム。
【請求項７】
請求項１ないし３のいずれかに記載のＩＣチップを備える前記交換部品であることを特徴とする交換部品。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
ＩＣチップを備える交換部品を装着する装着手段と、前記ＩＣチップと前記交換部品の双方が登録品か否かを判定するための前記ＩＣチップと前記交換部品の各々の二つの製造物責任者特定情報を受信する受信手段と、前記製造物責任者特定情報を用いて前記ＩＣチップと前記交換部品の双方が登録品か否かを判定する判定手段と、を備える装置に、
前記製造物責任者特定情報を送信させる送信手段を備えることを特徴とするＩＣチップ。
【請求項２】
請求項１に記載のＩＣチップを備える前記交換部品であることを特徴とする交換部品。
【請求項３】
請求項２に記載の交換部品を装着する前記装置であることを特徴とする装置。
【請求項４】
請求項１に記載のＩＣチップに備えるＣＰＵを、前記送信手段として機能させるための制御プログラム。
【請求項５】
請求項３に記載の装置に備えるＣＰＵを、前記判定手段として機能させるための制御プログラム。
【手続補正２】
【補正対象書類名】明細書
【補正対象項目名】０００６
【補正方法】変更
【補正の内容】
【０００６】
上記課題を解決するため本発明のＩＣチップは、ＩＣチップを備える交換部品を装着する装着手段と、前記ＩＣチップと前記交換部品の双方が登録品か否かを判定するための前記ＩＣチップと前記交換部品の各々の二つの製造物責任者特定情報を受信する受信手段と、前記製造物責任者特定情報を用いて前記ＩＣチップと前記交換部品の双方が登録品か否かを判定する判定手段と、を備える装置に、前記製造物責任者特定情報を送信させる送信手段を備えることを特徴とする。
【手続補正３】
【補正対象書類名】明細書
【補正対象項目名】０００５
【補正方法】変更
【補正の内容】
【０００５】
そこで、本発明の目的は、ＩＣチップとＩＣチップを備える交換部品の双方が登録品か否かを判定する装置の該判定に用いるＩＣチップと交換部品の各々の二つの製造物責任者特定情報を装置に送信させるＩＣチップを提供することにある。
【手続補正４】
【補正対象書類名】明細書
【補正対象項目名】０００７
【補正方法】変更
【補正の内容】
【０００７】
本発明によれば、ＩＣチップは、ＩＣチップとＩＣチップを備える交換部品の双方が登録品か否かを判定する装置の該判定に用いるＩＣチップと交換部品の各々の二つの製造物責任者特定情報を装置に送信させることができる。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
ＩＣチップを備える交換部品を装着する装着手段と、前記ＩＣチップと前記交換部品の双方が装置の登録品か否かを判定するための前記ＩＣチップと前記交換部品の各々の二つの製造物責任者特定情報を受信する受信手段と、前記製造物責任者特定情報を用いて前記ＩＣチップと前記交換部品の双方が登録品か否かを判定する判定手段と、を備える前記装置に、
前記製造物責任者特定情報を送信させる送信手段を備えることを特徴とするＩＣチップ。
【請求項２】
請求項１に記載のＩＣチップを備える前記交換部品であることを特徴とする交換部品。
【請求項３】
請求項２に記載の交換部品を装着する前記装置であることを特徴とする装置。
【請求項４】
請求項１に記載のＩＣチップに備えるＣＰＵを、前記送信手段として機能させるための制御プログラム。
【請求項５】
請求項３に記載の装置に備えるＣＰＵを、前記判定手段として機能させるための制御プログラム。
【手続補正２】
【補正対象書類名】明細書
【補正対象項目名】０００６
【補正方法】変更
【補正の内容】
【０００６】
上記課題を解決するため本発明のＩＣチップは、ＩＣチップを備える交換部品を装着する装着手段と、前記ＩＣチップと前記交換部品の双方が装置の登録品か否かを判定するための前記ＩＣチップと前記交換部品の各々の二つの製造物責任者特定情報を受信する受信手段と、前記製造物責任者特定情報を用いて前記ＩＣチップと前記交換部品の双方が登録品か否かを判定する判定手段と、を備える前記装置に、前記製造物責任者特定情報を送信させる送信手段を備えることを特徴とする。
【手続補正３】
【補正対象書類名】明細書
【補正対象項目名】０００５
【補正方法】変更
【補正の内容】
【０００５】
そこで、本発明の目的は、ＩＣチップとＩＣチップを備える交換部品の双方が装置の登録品か否かを判定する装置が該判定に用いるＩＣチップと交換部品の各々の二つの製造物責任者特定情報を装置に送信させるＩＣチップを提供することにある。
【手続補正４】
【補正対象書類名】明細書
【補正対象項目名】０００７
【補正方法】変更
【補正の内容】
【０００７】
本発明によれば、ＩＣチップは、ＩＣチップとＩＣチップを備える交換部品の双方が装置の登録品か否かを判定する装置が該判定に用いるＩＣチップと交換部品の各々の二つの製造物責任者特定情報を装置に送信させることができる。
【手続補正書】
【提出日】平成29年3月29日(2017.3.29)
【手続補正１】
【補正対象書類名】特許請求の範囲
【補正対象項目名】請求項１
【補正方法】変更
【補正の内容】
【請求項１】
ＩＣチップを備える交換部品を装着する装着手段と、前記ＩＣチップと前記交換部品の双方が装置の登録品か否かを判定するための前記ＩＣチップと前記交換部品の各々の二つの製造物責任者特定情報を受信する受信手段と、前記製造物責任者特定情報を用いて前記ＩＣチップと前記交換部品の双方が前記登録品か否かを判定する判定手段と、を備える前記装置に、
前記製造物責任者特定情報を送信させる送信手段を備えることを特徴とするＩＣチップ。
【手続補正２】
【補正対象書類名】明細書
【補正対象項目名】０００６
【補正方法】変更
【補正の内容】
【０００６】
上記課題を解決するため本発明のＩＣチップは、ＩＣチップを備える交換部品を装着する装着手段と、前記ＩＣチップと前記交換部品の双方が装置の登録品か否かを判定するための前記ＩＣチップと前記交換部品の各々の二つの製造物責任者特定情報を受信する受信手段と、前記製造物責任者特定情報を用いて前記ＩＣチップと前記交換部品の双方が前記登録品か否かを判定する判定手段と、を備える前記装置に、前記製造物責任者特定情報を送信させる送信手段を備えることを特徴とする。
【手続補正３】
【補正対象書類名】明細書
【補正対象項目名】０００５
【補正方法】変更
【補正の内容】
【０００５】
そこで、本発明の目的は、ＩＣチップとＩＣチップを備える交換部品の双方が装置の登録品か否かの判定に用いるＩＣチップと交換部品の各々の二つの製造物責任者特定情報を装置に送信させるＩＣチップを提供することにある。
【手続補正４】
【補正対象書類名】明細書
【補正対象項目名】０００７
【補正方法】変更
【補正の内容】
【０００７】
本発明によれば、ＩＣチップは、ＩＣチップとＩＣチップを備える交換部品の双方が装置の登録品か否かの判定に用いるＩＣチップと交換部品の各々の二つの製造物責任者特定情報を装置に送信させることができる。
【手続補正書】
【提出日】平成29年8月7日(2017.8.7)
【手続補正１】
【補正対象書類名】特許請求の範囲
【補正対象項目名】請求項１
【補正方法】変更
【補正の内容】
【請求項１】
ＩＣチップと交換部品の双方が装置の登録品か否かを判定するための前記ＩＣチップと前記交換部品の各々の二つの製造物責任者特定情報を記憶する前記ＩＣチップを備える前記交換部品を装着する装着手段と、前記製造物責任者特定情報を受信する受信手段と、前記製造物責任者特定情報を用いて前記ＩＣチップと前記交換部品の双方が前記登録品か否かを判定する判定手段と、を備える前記装置に、
前記製造物責任者特定情報を送信させる送信手段を備えることを特徴とするＩＣチップ。
【手続補正２】
【補正対象書類名】明細書
【補正対象項目名】０００６
【補正方法】変更
【補正の内容】
【０００６】
上記課題を解決するため本発明のＩＣチップは、ＩＣチップと交換部品の双方が装置の登録品か否かを判定するための前記ＩＣチップと前記交換部品の各々の二つの製造物責任者特定情報を記憶する前記ＩＣチップを備える前記交換部品を装着する装着手段と、前記製造物責任者特定情報を受信する受信手段と、前記製造物責任者特定情報を用いて前記ＩＣチップと前記交換部品の双方が前記登録品か否かを判定する判定手段と、を備える前記装置に、前記製造物責任者特定情報を送信させる送信手段を備えることを特徴とする。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
ＩＣチップと交換部品の双方が装置の登録品か否かを判定するための前記ＩＣチップと前記交換部品の各々の二つの製造物責任者特定情報を記憶する記憶手段を備えた前記ＩＣチップを備える前記交換部品を装着する装着手段と、前記製造物責任者特定情報を受信する受信手段と、前記製造物責任者特定情報を用いて前記ＩＣチップと前記交換部品の双方が前記登録品か否かを判定する判定手段と、を備える前記装置に装着される前記ＩＣチップであって、
前記製造物責任者特定情報を送信させる送信手段を備えることを特徴とするＩＣチップ。
【請求項２】
請求項１に記載のＩＣチップを備える前記交換部品であることを特徴とする交換部品。
【請求項３】
請求項２に記載の交換部品を装着する前記装置であることを特徴とする装置。
【請求項４】
請求項１に記載のＩＣチップに備えるＣＰＵを、前記記憶手段、前記送信手段として機能させるための制御プログラム。
【請求項５】
請求項３に記載の装置に備えるＣＰＵを、前記受信手段、前記判定手段として機能させるための制御プログラム。
【手続補正２】
【補正対象書類名】明細書
【補正対象項目名】０００６
【補正方法】変更
【補正の内容】
【０００６】
上記課題を解決するため本発明のＩＣチップは、ＩＣチップと交換部品の双方が装置の登録品か否かを判定するための前記ＩＣチップと前記交換部品の各々の二つの製造物責任者特定情報を記憶する記憶手段を備えた前記ＩＣチップを備える前記交換部品を装着する装着手段と、前記製造物責任者特定情報を受信する受信手段と、前記製造物責任者特定情報を用いて前記ＩＣチップと前記交換部品の双方が前記登録品か否かを判定する判定手段と、を備える前記装置に装着される前記ＩＣチップであって、前記製造物責任者特定情報を送信させる送信手段を備えることを特徴とする。